(57)【要約】【課題】移動端末に対するページング機能を持たない無線システムにおいて、移動端末に対するページングを実現すること。【解決手段】本発明は、ページング機能を持たない無線システムを用いた無線ネットワーク上の位置管理サーバから、セルラー無線を用いたセルラーネットワーク上の端末管理サーバに対して移動端末のページングを要求する工程と、前記端末管理サーバが前記セルラーネットワークを用いて前記移動端末にページング要求をする工程と、前記移動端末が前記ページング要求を受信し、前記無線ネットワークと無線チャネルを接続する工程と、前記移動端末が前記無線ネットワークに対して位置情報の割り当てを要求し、取得する工程と、前記移動端末が取得した前記位置情報を前記無線ネットワーク上の前記位置管理サーバに通知する工程と、を行うようにしたものである。【選択図】　　　　図１
2004140786.tif 000002
【特許請求の範囲】
【請求項１】
ページング機能を持たない無線システムを用いた無線ネットワーク上に配置され、前記無線ネットワークおよびセルラー無線を用いたセルラーネットワークを用いた通信を行なう移動端末の位置情報を管理する位置管理サーバであって、
前記セルラーネットワークを用いて前記移動端末をページングする機能を持つ端末管理サーバに対して前記移動端末のページングを要求するページング要求手段と、前記端末管理サーバによりページングされ前記無線ネットワーク上の位置情報を取得した前記移動端末から送られてきた前記位置情報を受信する位置情報受信手段と、を具備したことを特徴とする位置管理サーバ。
【請求項２】
前記無線ネットワークを介して前記移動端末の位置情報を受信することを特徴とする請求項１記載の位置管理サーバ。
【請求項３】
前記セルラーネットワークを介して前記移動端末の位置情報を受信することを特徴とする請求項１記載の位置管理サーバ。
【請求項４】
ページング機能を持たない無線システムを用いた無線ネットワーク上に配置された位置管理サーバから、前記無線ネットワークおよびセルラー無線を用いたセルラーネットワークを用いた通信を行なう移動端末をページングする要求を受信した場合に、前記セルラーネットワークを用いて前記移動端末をページングするページング処理手段と、ページングされ前記無線ネットワーク上の位置情報を取得した前記移動端末から前記セルラーネットワークを介して送られてきた前記位置情報を受信する位置情報受信手段と、受信した前記位置情報を前記位置管理サーバに通知する位置情報通知手段と、を具備したことを特徴とする端末管理サーバ。
【請求項５】
セルラー無線を用いたセルラーネットワーク上のページング処理手段から送られてきたページング要求を受信するページング受信手段と、前記ページング要求を受信した際に、ページング機能を持たない無線システムを用いた無線ネットワークと無線チャネルを接続する無線接続手段と、前記無線チャネルを用いて前記無線ネットワークに対して位置情報の割り当てを要求し、取得する位置情報取得手段と、取得した前記位置情報を前記無線ネットワーク上の位置管理サーバに通知する位置情報通知手段と、を具備したことを特徴とする移動端末。
【請求項６】
前記位置情報を前記無線ネットワークを介して前記位置管理サーバに通知することを特徴とする請求項５記載の移動端末。
【請求項７】
前記位置情報を前記セルラーネットワークを介して前記位置管理サーバに通知することを特徴とする請求項５記載の移動端末。
【請求項８】
請求項１または請求項２記載の位置管理サーバと、前記セルラーネットワークを用いて前記移動端末をページングする機能を持つ端末管理サーバと、請求項５または請求項６記載の移動端末と、を具備したことを特徴とする移動通信システム。
【請求項９】
請求項１または請求項３記載の位置管理サーバと、請求項４記載の端末管理サーバと、請求項５または請求項７記載の移動端末と、を具備したことを特徴とする移動通信システム。
【請求項１０】
前記移動端末に応じて、前記端末管理サーバのページング機能を制限する認証サーバを具備したことを特徴とする請求項８または請求項９記載の移動通信システム。
【請求項１１】
ページング機能を持たない無線システムを用いた無線ネットワーク上において、前記無線ネットワークおよびセルラー無線を用いたセルラーネットワークを用いた通信を行なう移動端末の位置情報を管理する位置管理方法であって、
前記セルラーネットワークを用いて前記移動端末をページングする機能を持つ端末管理サーバに対して前記移動端末のページングを要求する工程と、前記端末管理サーバによりページングされ前記無線ネットワーク上の位置情報を取得した前記移動端末から送られてきた前記位置情報を受信する工程と、を具備したことを特徴とする位置管理方法。
【請求項１２】
ページング機能を持たない無線システムを用いた無線ネットワーク上に配置された位置管理サーバから、前記無線ネットワークおよびセルラー無線を用いたセルラーネットワークを用いた通信を行なう移動端末をページングする要求を受信した場合に、前記セルラーネットワークを用いて前記移動端末をページングする工程と、ページングされ前記無線ネットワーク上の位置情報を取得した前記移動端末から前記セルラーネットワークを介して送られてきた前記位置情報を受信する工程と、受信した前記位置情報を前記位置管理サーバに通知する工程と、を具備したことを特徴とする位置情報通知方法。
【請求項１３】
セルラー無線を用いたセルラーネットワーク上のページング処理手段から送られてきたページング要求を受信する工程と、前記ページング要求を受信した際に、ページング機能を持たない無線システムを用いた無線ネットワークと無線チャネルを接続する工程と、前記無線チャネルを用いて前記無線ネットワークに対して位置情報の割り当てを要求し、取得する工程と、取得した前記位置情報を前記無線ネットワーク上の位置管理サーバに通知する工程と、を具備したことを特徴とする位置情報通知方法。
【請求項１４】
ページング機能を持たない無線システムを用いた無線ネットワーク上の位置管理サーバから、セルラー無線を用いたセルラーネットワーク上の端末管理サーバに対して前記無線ネットワークおよび前記セルラーネットワークを用いた通信を行なう移動端末のページングを要求する工程と、前記端末管理サーバが前記セルラーネットワークを用いて前記移動端末にページング要求をする工程と、前記移動端末が前記ページング要求を受信し、前記無線ネットワークと無線チャネルを接続する工程と、前記移動端末が前記無線ネットワークに対して位置情報の割り当てを要求し、取得する工程と、前記移動端末が取得した前記位置情報を前記無線ネットワーク上の前記位置管理サーバに通知する工程と、を具備したことを特徴とする位置管理方法。
【請求項１５】
ページング機能を持たない無線システムを用いた無線ネットワーク上のコンピュータに、前記無線ネットワークおよびセルラー無線を用いたセルラーネットワークを用いた通信を行なう移動端末の位置情報を管理させるプログラムであって、
前記コンピュータに、前記セルラーネットワークを用いて前記移動端末をページングする機能を持つ端末管理サーバに対して前記移動端末のページングを要求させる工程と、前記端末管理サーバによりページングされ前記無線ネットワーク上の位置情報を取得した前記移動端末から送られてきた前記位置情報を受信させる工程と、を具備したことを特徴とするプログラム。
【請求項１６】
セルラー無線を用いたセルラーネットワーク上のコンピュータに、ページング機能を持たない無線システムを用いた無線ネットワーク上に配置された位置管理サーバから、前記無線ネットワークおよび前記セルラーネットワークを用いた通信を行なう移動端末をページングする要求を受信させる工程と、前記ページングする要求を受信させた場合に、前記セルラーネットワークを用いて前記移動端末をページング要求をさせる工程と、ページングさせることで前記無線ネットワーク上の位置情報を取得した前記移動端末から前記セルラーネットワークを介して送られてきた前記位置情報を受信させる工程と、受信させた前記位置情報を前記位置管理サーバに通知させる工程と、を具備したことを特徴とするプログラム。
【請求項１７】
コンピュータに、セルラー無線を用いたセルラーネットワーク上のページング処理手段から送られてきたページング要求を受信させる工程と、前記ページング要求を受信させた際に、ページング機能を持たない無線システムを用いた無線ネットワークと無線チャネルを接続させる工程と、前記無線チャネルを用いて前記無線ネットワークに対して位置情報の割り当てを要求させ、取得させる工程と、取得した前記位置情報を前記無線ネットワーク上の位置管理サーバに通知させる工程と、を具備したことを特徴とするプログラム。
【請求項１８】
請求項１５から請求項１７のいずれかに記載のプログラムを格納したコンピュータ読み取り可能な記憶媒体。
【請求項１９】
前記移動端末が前記無線ネットワーク上の位置情報の取得に失敗した場合に、前記セルラーネットワーク上でのセルラー位置情報を前記移動端末に割り当てるセルラー位置情報割り当て手段と、割り当てたセルラー位置情報を前記位置管理サーバに通知する位置情報通知手段と、を具備したことを特徴とする請求項４記載の端末管理サーバ。
【請求項２０】
前記ページング機能を持たない無線システムを用いた無線ネットワークにおける位置情報の取得に失敗した際に、前記セルラーネットワークに対して前記セルラーネットワーク上の位置情報の割り当てを要求し、取得するセルラー位置情報取得手段を具備したことを特徴とする請求項５記載の移動端末。
【請求項２１】
前記セルラーネットワークからのページング要求受信によって前記無線ネットワークにおける位置情報の取得に失敗した際に、ページング要求を受信した事象をユーザに通知するユーザ通知手段を具備したことを特徴とする請求項５から請求項７のいずれかに記載の移動端末。
【請求項２２】
ページング機能を持たない無線システムを用いた無線ネットワーク上に配置された位置管理サーバから、前記無線ネットワークおよびセルラー無線を用いたセルラーネットワークを用いた通信を行なう移動端末をページングする要求を受信した場合に、前記セルラーネットワークを用いて前記移動端末をページングする工程と、前記移動端末が前記無線ネットワーク上の位置情報取得に失敗した場合には、前記移動端末に前記セルラーネットワーク上の位置情報を割り当てる工程と、割り当てた前記位置情報を前記位置管理サーバに通知する工程と、を具備したことを特徴とする位置情報通知方法。
【請求項２３】
ページング機能を持たない無線システムを用いた無線ネットワーク上の位置管理サーバから、セルラー無線を用いたセルラーネットワーク上の端末管理サーバに対して前記無線ネットワークおよび前記セルラーネットワークを用いた通信を行なう移動端末のページングを要求する工程と、前記端末管理サーバが前記セルラーネットワークを用いて前記移動端末にページング要求をする工程と、前記移動端末が前記ページング要求を受信し、前記無線ネットワークにおける位置情報の取得に失敗した場合には、前記移動端末が前記セルラーネットワークに対してセルラーネットワークでの位置情報の割り当てを要求し、取得する工程と、前記移動端末が取得した前記セルラーネットワークでの位置情報を前記無線ネットワーク上の前記位置管理サーバに通知する工程と、を具備したことを特徴とする位置管理方法。
【発明の詳細な説明】
【０００１】
【発明の属する技術分野】
本発明は、ページング機能を持たない無線システムを用いた無線ネットワーク上において移動端末の位置を管理する位置管理サーバ、および移動通信システムに関する。
【０００２】
【従来の技術】
近年、例えばＩＥＥＥ８０２．１１などの無線方式を用いた無線ＬＡＮシステムによる公衆無線ＬＡＮサービスが行われるようになってきており（例えば、非特許文献１）、無線によるインターネットアクセス環境が普及しつつある。このような公衆無線ＬＡＮサービスにおける通信サービスは、Ｗｅｂを用いたホームページ閲覧などのように、端末が主体的にインターネット内に存在するサーバ群にアクセスするものであった。
【０００３】
また、一方では、ＩＰ電話やプッシュ型サービスに代表されるような、端末に対して、サーバ群がアクセスする形態のインターネットサービスが実現されるようになっている。
【０００４】
【非特許文献１】
ＡＮＳＩ／ＩＥＥＥ　Ｓｔｄ　８０２．１１，　１９９９　Ｅｄｉｔｉｏｎ
【０００５】
【発明が解決しようとする課題】
無線ＬＡＮシステムにおいて、移動端末は、無線チャネルを常に接続した状態か、もしくは無線チャネルを完全に切断して無線インタフェースの電源をオフにした状態しか採ることができない。しかし、無線チャネルを常に接続した状態にしておくと、電力を消耗することになる。よって、端末に携帯型の移動端末を採用した場合には、持続時間を延ばすために、移動端末は、定常的に通信を行なっていない間、無線インタフェースの電源をオフするようにしている。つまり、このような移動端末に対してサーバ群がアクセスを行なう場合には、移動端末が通信中でない限り、移動端末の通信チャネルが接続されていない。
【０００６】
さらに、サーバ群は、移動端末の通信チャネルが接続されていない場合には、移動端末が動いたことを検出できないため、移動端末の位置情報であるＩＰアドレスを管理できない。
【０００７】
以上のように、間欠受信機能を持たない無線アクセス方式を用いている無線ＬＡＮシステムにおいて、サーバ群は、移動端末に対して呼出し処理、つまりページングを行なうことができないという問題がある。
【０００８】
本発明は、このような問題に鑑みてなされたものであり、間欠受信機能を持たない無線アクセス方式を用いているため、移動端末に対するページング機能を持たない無線システムにおいて、移動端末に対するページングを実現することを目的とする。
【０００９】
【課題を解決するための手段】
本発明の位置管理サーバは、ページング機能を持たない無線システムを用いた無線ネットワーク上に配置され、前記無線ネットワークおよびセルラー無線を用いたセルラーネットワークを用いた通信を行なう移動端末の位置情報を管理する位置管理サーバであって、前記セルラーネットワークを用いて前記移動端末をページングする機能を持つ端末管理サーバに対して前記移動端末のページングを要求するページング要求手段と、前記端末管理サーバによりページングされ前記無線ネットワーク上の位置情報を取得した前記移動端末から送られてきた前記位置情報を受信する位置情報受信手段と、を具備した構成を採る。
【００１０】
これにより、移動端末に対するページングを、セルラーネットワーク上に備わった端末管理サーバを用いることにより実現できる。さらに、移動端末をページングさせることで、移動端末に位置情報が割り振られ、この位置情報を無線ネットワーク上の位置管理サーバに通知させることができる。この結果、無線ネットワーク側おいて、移動端末の位置情報を特定することができ、移動端末位置情報を呼出して通信を開始することが実現できる。
【００１１】
本発明の位置管理サーバは、上記位置管理サーバにおいて、前記無線ネットワークを介して前記移動端末の位置情報を受信する。
【００１２】
これにより、前記位置管理サーバは、広帯域・高効率なＩＰベースのネットワークを利用し、前記無線ネットワーク側における前記移動端末の位置情報を効率良く、かつ迅速に取得することができる。
【００１３】
本発明の位置管理サーバは、上記位置管理サーバにおいて、前記セルラーネットワークを介して前記移動端末の位置情報を受信する。
【００１４】
これにより、前記位置管理サーバは、前記移動端末との間に存在するネットワークに依存することなく、またパケットロスや情報漏洩などの危険に晒されることなく、安全に前記無線ネットワーク側における前記移動端末の位置情報を取得できる。
【００１５】
本発明の端末管理サーバは、ページング機能を持たない無線システムを用いた無線ネットワーク上に配置された位置管理サーバから、前記無線ネットワークおよびセルラー無線を用いたセルラーネットワークを用いた通信を行なう移動端末をページングする要求を受信した場合に、前記セルラーネットワークを用いて前記移動端末をページングするページング処理手段と、ページングされ前記無線ネットワーク上の位置情報を取得した前記移動端末から前記セルラーネットワークを介して送られてきた前記位置情報を受信する位置情報受信手段と、受信した前記位置情報を前記位置管理サーバに通知する位置情報通知手段と、を具備した構成を採る。
【００１６】
これにより、移動端末に対するページングを、セルラーネットワーク上に備わった端末管理サーバを用いることにより、実現できる。さらに、移動端末をページングさせることで、移動端末に位置情報が割り振られ、この位置情報を無線ネットワーク上の位置管理サーバに通知させることができる。この結果、無線ネットワーク側おいて、移動端末の位置情報を特定することができ、移動端末位置情報を呼出して通信を開始することが実現できる。
【００１７】
本発明の移動端末は、セルラー無線を用いたセルラーネットワーク上のページング処理手段から送られてきたページング要求を受信するページング受信手段と、前記ページング要求を受信した際に、ページング機能を持たない無線システムを用いた無線ネットワークと無線チャネルを接続する無線接続手段と、前記無線チャネルを用いて前記無線ネットワークに対して位置情報の割り当てを要求し、取得する位置情報取得手段と、取得した前記位置情報を前記無線ネットワーク上の位置管理サーバに通知する位置情報通知手段と、を具備した構成を採る。
【００１８】
これにより、移動端末に対するページングを、セルラーネットワーク上に備わった端末管理サーバを用いることにより、実現できる。さらに、移動端末をページングさせることで、移動端末に位置情報が割り振られ、この位置情報を無線ネットワーク上の位置管理サーバに通知させることができる。この結果、無線ネットワーク側おいて、移動端末の位置情報を特定することができ、移動端末位置情報を呼出して通信を開始することが実現できる。
【００１９】
本発明の移動端末は、上記移動端末において、前記位置情報を前記無線ネットワークを介して前記位置管理サーバに通知する。
【００２０】
これにより、前記位置管理サーバは、広帯域・高効率なＩＰベースのネットワークを利用し、前記無線ネットワーク側における前記移動端末の位置情報を効率良く、かつ迅速に取得することができる。
【００２１】
本発明の移動端末は、上記移動端末において、前記位置情報を前記セルラーネットワークを介して前記位置管理サーバに通知する。
【００２２】
これにより、前記位置管理サーバは、前記移動端末との間に存在するネットワークに依存することなく、またパケットロスや情報漏洩などの危険に晒されることなく、安全に前記無線ネットワーク側における前記移動端末の位置情報を取得できる。
【００２３】
本発明の移動通信システムは、上記の位置管理サーバと、前記セルラーネットワークを用いて前記移動端末をページングする機能を持つ端末管理サーバと、上記の移動端末と、を具備したことを特徴とする移動通信システムである。
【００２４】
本発明は、上記位置管理サーバと、上記端末管理サーバと、上記移動端末と、を具備したことを特徴とする移動通信システムである。
【００２５】
本発明は、上記移動通信システムにおいて、前記移動端末に応じて、前記端末管理サーバのページング機能を制限する認証サーバを具備した移動通信システムである。
【００２６】
これにより、移動端末のページング機能や位置情報の通知機能を、移動端末に応じて制限することができる。これにより、例えば異なるオペレータによる移動通信システムを融合したシステムを構築することができる。
【００２７】
本発明は、ページング機能を持たない無線システムを用いた無線ネットワーク上において、前記無線ネットワークおよびセルラー無線を用いたセルラーネットワークを用いた通信を行なう移動端末の位置情報を管理する位置管理方法であって、前記セルラーネットワークを用いて前記移動端末をページングする機能を持つ端末管理サーバに対して前記移動端末のページングを要求する工程と、前記端末管理サーバによりページングされ前記無線ネットワーク上の位置情報を取得した前記移動端末から送られてきた前記位置情報を受信する工程と、を具備したことを特徴とする位置管理方法である。
【００２８】
本発明は、ページング機能を持たない無線システムを用いた無線ネットワーク上に配置された位置管理サーバから、前記無線ネットワークおよびセルラー無線を用いたセルラーネットワークを用いた通信を行なう移動端末をページングする要求を受信した場合に、前記セルラーネットワークを用いて前記移動端末をページングする工程と、ページングされ前記無線ネットワーク上の位置情報を取得した前記移動端末から前記セルラーネットワークを介して送られてきた前記位置情報を受信する工程と、受信した前記位置情報を前記位置管理サーバに通知する工程と、を具備したことを特徴とする位置情報通知方法である。
【００２９】
本発明は、セルラー無線を用いたセルラーネットワーク上のページング処理手段から送られてきたページング要求を受信する工程と、前記ページング要求を受信した際に、ページング機能を持たない無線システムを用いた無線ネットワークと無線チャネルを接続する工程と、前記無線チャネルを用いて前記無線ネットワークに対して位置情報の割り当てを要求し、取得する工程と、取得した前記位置情報を前記無線ネットワーク上の位置管理サーバに通知する工程と、を具備したことを特徴とする位置情報通知方法である。
【００３０】
本発明は、ページング機能を持たない無線システムを用いた無線ネットワーク上の位置管理サーバから、セルラー無線を用いたセルラーネットワーク上の端末管理サーバに対して前記無線ネットワークおよび前記セルラーネットワークを用いた通信を行なう移動端末のページングを要求する工程と、前記端末管理サーバが前記セルラーネットワークを用いて前記移動端末にページング要求をする工程と、前記移動端末が前記ページング要求を受信し、前記無線ネットワークと無線チャネルを接続する工程と、前記移動端末が前記無線ネットワークに対して位置情報の割り当てを要求し、取得する工程と、前記移動端末が取得した前記位置情報を前記無線ネットワーク上の前記位置管理サーバに通知する工程と、を具備したことを特徴とする位置管理方法である。
【００３１】
本発明は、ページング機能を持たない無線システムを用いた無線ネットワーク上のコンピュータに、前記無線ネットワークおよびセルラー無線を用いたセルラーネットワークを用いた通信を行なう移動端末の位置情報を管理させるプログラムであって、前記コンピュータに、前記セルラーネットワークを用いて前記移動端末をページングする機能を持つ端末管理サーバに対して前記移動端末のページングを要求させる工程と、前記端末管理サーバによりページングされ前記無線ネットワーク上の位置情報を取得した前記移動端末から送られてきた前記位置情報を受信させる工程と、を具備したことを特徴とするプログラムである。
【００３２】
本発明は、セルラー無線を用いたセルラーネットワーク上のコンピュータに、ページング機能を持たない無線システムを用いた無線ネットワーク上に配置された位置管理サーバから、前記無線ネットワークおよび前記セルラーネットワークを用いた通信を行なう移動端末をページングする要求を受信させる工程と、前記ページングする要求を受信させた場合に、前記セルラーネットワークを用いて前記移動端末をページング要求をさせる工程と、ページングさせることで前記無線ネットワーク上の位置情報を取得した前記移動端末から前記セルラーネットワークを介して送られてきた前記位置情報を受信させる工程と、受信させた前記位置情報を前記位置管理サーバに通知させる工程と、を具備したことを特徴とするプログラムである。
【００３３】
本発明は、コンピュータに、セルラー無線を用いたセルラーネットワーク上のページング処理手段から送られてきたページング要求を受信させる工程と、前記ページング要求を受信させた際に、ページング機能を持たない無線システムを用いた無線ネットワークと無線チャネルを接続させる工程と、前記無線チャネルを用いて前記無線ネットワークに対して位置情報の割り当てを要求させ、取得させる工程と、取得した前記位置情報を前記無線ネットワーク上の位置管理サーバに通知させる工程と、を具備したことを特徴とするプログラムである。
【００３４】
本発明は、上記プログラムを格納したコンピュータ読み取り可能な記憶媒体である。
【００３５】
本発明の端末管理サーバは、上記の端末管理サーバにおいて、前記移動端末が前記無線ネットワーク上の位置情報の取得に失敗した場合に、前記セルラーネットワーク上でのセルラー位置情報を前記移動端末に割り当てるセルラー位置情報割り当て手段と、割り当てたセルラー位置情報を前記位置管理サーバに通知する位置情報通知手段と、を具備した構成を採る。
【００３６】
これにより、前記移動端末が前記無線ネットワーク上の位置情報を取得するのに失敗した場合には、前記端末管理サーバは、前記移動端末に対してセルラーネットワークにおける位置情報を割り当て、前記位置管理サーバに通知する。この結果、無線ネットワーク側で通信が行なえない場合でも、セルラーネットワークにおいて、移動端末の位置情報を特定することができ、セルラーネットワークを通して移動端末との通信を開始することができる。
【００３７】
本発明の移動端末は、上記移動端末に加えて、前記ページング機能を持たない無線システムを用いた無線ネットワークにおける位置情報の取得に失敗した際に、前記セルラーネットワークに対して前記セルラーネットワーク上の位置情報の割り当てを要求し、取得するセルラー位置情報取得手段を具備した構成を採る。
【００３８】
これにより、移動端末が無線ネットワークとの無線チャネルを接続するのに失敗するなどして位置情報が取得できない場合は、セルラーネットワーク上の位置情報が移動端末に割り振られ、この位置情報を位置管理サーバに通知することができる。この結果、無線ネットワークを用いて通信が行なえない場合でも、セルラーネットワークにおいて、移動端末の位置情報を特定することができ、セルラーネットワークを通して移動端末との通信を開始することができる。
【００３９】
本発明の移動端末は、上記移動端末において、上記セルラーネットワークからのページング要求受信によって前記無線ネットワークにおける位置情報の取得に失敗した際に、ページング要求を受信した事象をユーザに通知するユーザ通知手段を具備した構成を採る。
【００４０】
これにより、移動端末のユーザが、現在無線ネットワーク圏外にいるということを認識でき、必要に応じて無線ネットワーク圏内に移動することができる。
【００４１】
本発明は、ページング機能を持たない無線システムを用いた無線ネットワーク上に配置された位置管理サーバから、前記無線ネットワークおよびセルラー無線を用いたセルラーネットワークを用いた通信を行なう移動端末をページングする要求を受信した場合に、前記セルラーネットワークを用いて前記移動端末をページングする工程と、ページングされた前記移動端末が前記無線ネットワーク上の位置情報の取得に失敗した場合には、前記移動端末に前記セルラーネットワーク上の位置情報を割り当てる工程と、割り当てた前記位置情報を前記位置管理サーバに通知する工程と、を具備したことを特徴と位置情報通知方法である。
【００４２】
本発明は、ページング機能を持たない無線システムを用いた無線ネットワーク上の位置管理サーバから、セルラー無線を用いたセルラーネットワーク上の端末管理サーバに対して前記無線ネットワークおよび前記セルラーネットワークを用いた通信を行なう移動端末のページングを要求する工程と、前記端末管理サーバが前記セルラーネットワークを用いて前記移動端末にページング要求をする工程と、前記移動端末が前記ページング要求を受信し、前記無線ネットワークにおける位置情報を取得するのに失敗した場合には、前記移動端末が前記セルラーネットワークに対してセルラーネットワークでの位置情報の割り当てを要求し、取得する工程と、前記移動端末が取得した前記セルラーネットワーク位置情報を前記無線ネットワーク上の前記位置管理サーバに通知する工程と、を具備したことを特徴とする位置管理方法である。
【００４３】
【発明の実施の形態】
（実施の形態１）
以下、本発明の実施の形態１にかかる移動通信方法を用いた移動通信システムについて添付図面を用いて説明する。
【００４４】
本移動通信システムは、間欠受信機能を備えた無線アクセスシステムであるセルラー無線を含む、複数の無線アクセスを融合したシステムである。また、本実施の形態では、セルラー無線以外の主となる無線アクセスシステムとしてＩＥＥＥ８０２．１１を用いた無線ＬＡＮシステムを例に取り上げて説明する。しかし、必ずしも無線方式を限定するものではなく、ページング機能を持たず、かつ広帯域なインターネットアクセスに用いる無線アクセスシステムであれば、別の無線アクセスシステムであっても良い。
【００４５】
また、実施の形態１は、無線ＬＡＮシステムがＩＰネットワークをベースに構成されており、休眠状態にある移動端末に対して、ＩＰ電話等の着信が発生する場合を想定して説明する。
【００４６】
まず、実施の形態１にかかる移動通信システムの構成について図１を用いて説明する。図１は、実施の形態１にかかる移動通信システムの構成図である。
【００４７】
本移動通信システム１００は、セルラー無線によるセルラーネットワーク１０３と、ＩＥＥＥ８０２．１１を用いた無線ＬＡＮシステムによるＩＰネットワーク１０４と、が融合したシステムになっている。
【００４８】
セルラーネットワーク１０３は、セルラー網基地局１１０を介してセルラー無線アクセスによる通信可能な範囲（セル）１０５を有する。また、ＩＰネットワーク１０４は、無線ＬＡＮアクセス装置１１１を介して、無線ＬＡＮアクセスによる通信可能な範囲（セル）１０６を有する。
【００４９】
また、移動通信システム１００は、セルラー無線と無線ＬＡＮの両方の無線インタフェースを備え、セルラーネットワーク１０３およびＩＰネットワーク１０４と通信が可能な移動端末１０１を有する。移動端末１０１の構成については後で詳述する。
【００５０】
また、移動通信システム１００は、移動端末１０１に対して発呼を行なう呼出し発信元端末１０２を有する。発信元端末１０２は、移動端末１０１に発呼する際に、ＩＰネットワーク上の呼制御サーバ１０７に対して発呼要求や、接続先の電話番号に基づき接続先のＩＰアドレスを解決する要求を送信する。
【００５１】
呼制御サーバ１０７はＩＰネットワーク１０４における呼処理を実現するサーバである。また、呼制御サーバ１０７は、発信元端末１０２から、発呼要求や、接続先の電話番号に基づき接続先のＩＰアドレスを解決する要求を受けた場合に、ＩＰネットワーク１０４の位置管理サーバ１０８に移動端末１０１の位置情報であるＩＰアドレスを問合わせる位置情報要求を送信する。
【００５２】
位置管理サーバ１０８は、ＩＰネットワーク１０４における移動端末１０１の位置情報を管理するサーバである。
【００５３】
位置管理サーバ１０８には、移動端末１０１の位置情報であるＩＰアドレスが登録される位置情報登録部１１２が設けられている。位置情報登録部１１２には、ＩＰネットワーク１０４上で起動している移動端末１０１以外の端末のＩＰアドレスも登録されている。
【００５４】
また、位置管理サーバ１０８には、呼制御サーバ１０７から送られてきた、移動端末１０１の位置情報であるＩＰアドレスの送信要求を受信する位置情報要求受信部１１３が設けられている。位置情報要求受信部１１３は、ＩＰアドレスの送信要求を受信すると、位置管理サーバ１０８に設けられた位置情報検索部１１４を起動する。
【００５５】
位置情報検索部１１４は、ＩＰアドレスの送信要求を受信した旨の情報を受信すると、位置情報登録部１１２に移動端末１０１のＩＰアドレスが登録されているか検索する。そして、位置情報検索部１１４は、位置情報登録部１１２に移動端末１０１のＩＰアドレスが登録されていない場合は、位置管理サーバ１０８に設けられたページング要求送信部１１５を起動する。
【００５６】
ページング要求送信部１１５は、移動端末１０１をページングするページング要求をセルラーネットワーク１０３における端末管理サーバ１０９に送信する。
【００５７】
また、位置管理サーバ１０８には、移動端末１０１から送られてきた移動端末１０１のＩＰアドレスを受信する位置情報受信部１１６が設けられている。位置情報受信部１１６は、受信した移動端末１０１のＩＰアドレスを位置情報登録部１１２に登録する。また、位置情報受信部１１６は、受信した移動端末１０１のＩＰアドレスを、位置管理サーバ１０８に設けられた位置情報通知部１１７に送る。
【００５８】
位置情報通知部１１７は、送られてきた移動端末１０１のＩＰアドレスを呼制御サーバ１０７に通知する。
【００５９】
また、端末管理サーバ１０９には、位置管理サーバ１０８のページング要求送信部１１５から送られてきたページング要求を受信するページング要求受信部１２５が設けられている。ページング要求受信部１２５は、ページング要求を受信すると、端末管理サーバ１０９に設けられたページング処理部１１８を起動する。
【００６０】
ページング処理部１１８は、移動端末１０１を起動するページング要求をセルラー網基地局１１０を介して移動端末１０１に送る。これにより、端末管理サーバ１０９と移動端末１０１との間に呼出し用の無線チャネルが接続される。
【００６１】
また、移動端末１０１には、端末管理サーバ１０９のページング処理部１１８から送られてきたページング要求を受信するページング要求受信部１１９が設けられている。ページング要求受信部１１９は、ページング要求を受信すると、移動端末１０１に設けられた無線ＬＡＮ接続部１２０を起動する。
【００６２】
無線ＬＡＮ接続部１２０は、移動端末１０１の状態を休眠状態から起動状態に遷移し、移動端末１０１の無線ＬＡＮ側であるＩＰネットワーク１０４と無線チャネルを接続する。
【００６３】
また、移動端末１０１には、ＩＰネットワーク１０４に対してＩＰアドレスの割り当てを要求するＩＰアドレス割り当て要求部１２１が設けられている。ＩＰアドレス割り当て要求部１２１は、ＤＨＣＰ（ＲＦＣ１５４１）やＳｔａｔｅｌｅｓｓ　Ａｄｄｒｅｓｓ　Ａｕｔｏｃｏｎｆｉｇｕｒａｔｉｏｎ（ＲＦＣ２４６２）などの機能を用いることにより、ＩＰアドレスの割り当てを受ける。
【００６４】
また、移動端末１０１には、ＩＰネットワーク１０４から送られてきたＩＰアドレスを受信するＩＰアドレス割り当て受信部１２２が設けられている。ＩＰアドレス割り当て受信部１２２は、受信したＩＰアドレスを、移動端末１０１に設けられたＩＰアドレス通知部１２３に送る。
【００６５】
ＩＰアドレス通知部１２３は、割り当てられたＩＰアドレスを無線ＬＡＮ接続部１２０が起動した無線チャンネル、無線ＬＡＮアクセス装置１１１、およびＩＰネットワーク１０４を介して位置管理サーバ１０８に送る。
【００６６】
また、移動端末１０１には、割り当てられたＩＰアドレスを自身に設定するＩＰアドレス設定部１２４が設けられている。
【００６７】
次に、実施の形態１にかかる移動通信システムの基本動作について、図２、図３を用いて具体的に説明する。図２、図３は、実施の形態１にかかる移動通信システムの基本動作シーケンス図である。
【００６８】
まず、呼出し元の発信元端末１０２が、移動端末１０１に発呼する際に、呼制御サーバ１０７に対して発呼要求（ＳＴ２０１）や、接続先の電話番号に基づき接続先のＩＰアドレスを解決する要求を送信する（ＳＴ２０２）。
【００６９】
次に、呼制御サーバ１０７が、この呼接続の接続先となる移動端末１０１のＩＰアドレスをＩＰネットワーク１０４内の位置管理サーバ１０８に問合わせるため、位置情報要求を位置管理サーバ１０８に送信する（ＳＴ２０３）。
【００７０】
これに対して、位置管理サーバ１０８は、位置情報要求受信部１１３において、位置情報要求を受信する。次に、位置管理サーバ１０８の位置情報検索部１１４が、移動端末１０１のＩＰアドレスが位置情報登録部１１２にあるか検索する（ＳＴ２０４）。
【００７１】
この時移動端末１０１は休眠状態にあるため、無線ＬＡＮ内での接続は失われており、ＩＰネットワーク１０４内でのＩＰアドレスも不明である。このため、移動端末１０１を起動（ページング）し、移動端末１０１のＩＰアドレスを取得する必要がある。しかし、位置管理サーバ１０８は、ページング機能を持たない無線ＬＡＮシステムであるＩＰネットワーク１０４上にあるため、移動端末１０１を起動することができない。そこで、実施の形態１では、間欠受信機能を備えた無線アクセス機能を備えたセルラーネットワーク１０３に着目し、セルラーネットワーク１０３を用いて移動端末１０１を起動するようにした。以下、移動端末１０１の起動する処理について説明する。
【００７２】
まず、位置管理サーバ１０８のページング要求送信部１１５が、端末管理サーバ１０９に対して、移動端末１０１のページング要求を送信する（ＳＴ２０５）。
【００７３】
これに対して、端末管理サーバ１０９は、ページング要求受信部１２５において、位置管理サーバ１０８から送られてきた移動端末１０１のページング要求を受信する。次に、端末管理サーバ１０９のページング処理部１１８が、移動端末１０１に対してページング要求をする（ＳＴ２０６）。
【００７４】
これに対して、移動端末１０１は、ページング要求受信部１１９において、ページング要求を受信する。そして、移動端末１０１の無線ＬＡＮ接続部１２０が、移動端末１０１の状態を休眠状態から起動状態に遷移し、移動端末１０１の無線ＬＡＮ側であるＩＰネットワーク１０４と無線チャネルを接続する（ＳＴ２０７）。
【００７５】
このようにして、移動端末１０１をセルラーネットワーク１０３を用いて起動する。
【００７６】
次に、移動端末１０１は、ＩＰネットワーク上における自身のＩＰアドレスの割り当てを受ける処理に移行する。
【００７７】
まず、移動端末１０１のＩＰアドレス割り当て要求部１２１が、ＩＰネットワーク１０４に対してＩＰアドレスの割り当て要求をし（ＳＴ２０８）、ＤＨＣＰ（ＲＦＣ１５４１）やＳｔａｔｅｌｅｓｓ　Ａｄｄｒｅｓｓ　Ａｕｔｏｃｏｎｆｉｇｕｒａｔｉｏｎ（ＲＦＣ２４６２）などの機能を用いることにより、ＩＰアドレスの割り当てを受ける。そして、移動端末１０１のＩＰアドレス割り当て受信部１２２が、割り当てられたＩＰアドレスを受信する（ＳＴ２０９）。
【００７８】
このようにして、移動端末１０１は、ＩＰネットワーク１０４からＩＰアドレスの割り当てを受ける。
【００７９】
次に、移動端末１０１のＩＰアドレス通知部１２３が、位置管理サーバ１０８に対してＩＰアドレスの通知をする（ＳＴ２１０）。
【００８０】
これに対して、位置管理サーバ１０８は、位置情報受信部１１６において、移動端末１０１のＩＰアドレスを受信する。次に、位置管理サーバ１０８の位置情報通知部１１７が移動端末１０１のＩＰアドレスを呼制御サーバ１０７に通知する（ＳＴ２１１）。
【００８１】
これに対して、呼制御サーバ１０７は、移動端末１０１のＩＰアドレスを受信する。
【００８２】
これにより、ＩＰネットワーク１０４側の位置管理サーバ１０８および呼制御サーバ１０７は接続先となる移動端末１０１のＩＰアドレスが解決したので、発信元端末１０２と移動端末１０１間での通信が開始される（ＳＴ２１２）。
【００８３】
以上説明したように、実施の形態１によれば、移動端末１０１に対するページングを、セルラーネットワーク１０３側に備わったページング機能を用いることにより、実現できる。さらに、移動端末１０１を起動させることで、移動端末１０１にＩＰアドレスが割り振られ、このＩＰアドレスをＩＰネットワーク１０４側に通知させることができる。この結果、ＩＰネットワーク１０４側おいて、移動端末１０１のＩＰアドレスを特定することができ、移動端末１０１を呼出して通信を開始することが実現できる。
【００８４】
また、このように、ＩＰネットワーク１０４を経由して、ＩＰアドレスを取得することで、位置管理サーバ１０８は、広帯域・高効率なＩＰベースのネットワークを利用し、ＩＰネットワーク１０４側における移動端末１０１の位置情報を効率良く迅速に取得することができる。
【００８５】
なお、移動端末１０１、位置管理サーバ１０８、端末管理サーバ１０９の各処理部の行なう動作をプログラムにし、記憶媒体に格納し、汎用のコンピュータにこのプログラムを実行させる形態であってもよい。
【００８６】
（実施の形態２）
本発明の実施の形態２は、ページング対象の移動端末や呼出し発信元端末の情報に基づいて、セルラーネットワーク側のページング機能を利用する制限を設けるようにしたものである。
【００８７】
まず、実施の形態２にかかる移動通信システムの構成について図４を用いて説明する。図４は、実施の形態２にかかる移動通信システムの構成図である。なお、既に説明した部分と同一の部分については、同一の符号を付与し、説明を省略する。
【００８８】
実施の形態２にかかる移動通信システム４００は、セルラーネットワーク１０３上に認証サーバ３０１を設けたことが、実施の形態１にかかる移動通信システム１００と異なる。
【００８９】
認証サーバ３０１は、ＩＰネットワーク１０４側からのページング処理要求に対する許可を判断するサーバである。
【００９０】
以下、実施の形態２にかかる移動通信システムのページング処理許可処理について図５を用いて説明する。図５は、実施の形態２にかかる移動通信システムのページング処理許可処理フロー図である。
【００９１】
まず、セルラーネットワーク１０３側の端末管理サーバ１０９、ＩＰネットワーク１０４の位置管理サーバ１０８側からのページング要求に対して、呼出し元の発信元端末１０２の情報を認証サーバ３０１に送る（ＳＴ５０１）。
【００９２】
これに対して、認証サーバ３０１は、これらの情報から、セルラーネットワーク１０３側の機能を使用することを許可するか否かを判断する（ＳＴ５０２）。
【００９３】
次に、ページング処理部１１８は、認証サーバ３０１が許可する場合はページング処理を継続し（ＳＴ５０３）、許可しない場合は、ＩＰネットワーク１０４の位置管理サーバ１０８に拒否を通知する（ＳＴ５０４）。
【００９４】
以上説明したように、実施の形態２によれば、移動端末のページング機能やＩＰアドレスの通知機能を、移動端末や発信元端末のプロファイルに応じて制限することができる。これにより、例えばセルラーネットワーク１０３のオペレータと契約している移動端末や発信元端末に対してのみ、上述した機能を提供することができるようになる。あるいは、異なるオペレータによる移動通信システムを融合したシステムを構築し、加入者の契約内容に応じて上述した機能を提供する高度なサービスを実現できる。
【００９５】
なお、認証サーバ３０１の行なう動作をプログラムにし、記憶媒体に格納し、汎用のコンピュータにこのプログラムを実行させる形態であってもよい。
【００９６】
（実施の形態３）
本発明の実施の形態３は、移動端末の位置情報をＩＰネットワーク側に、セルラーネットワーク側を経由して通知するようにしたものである。
【００９７】
まず、実施の形態３にかかる移動通信システムの構成について図６を用いて説明する。図６は、実施の形態３にかかる移動通信システムの構成図である。なお、既に説明した部分と同一の部分には、同一の符号を付与し説明を省略する。
【００９８】
実施の形態３にかかる移動通信システム６００は、移動端末６０３と、位置管理サーバ６０１と、端末管理サーバ６０２の構成が実施の形態１と異なる。
【００９９】
移動端末６０３には、割り当てられたＩＰアドレスをセルラーネットワーク１０３上の端末管理サーバ６０２に通知するＩＰアドレス通知部６０４が設けられている。
【０１００】
また、端末管理サーバ６０２には、ページング要求受信部１２５と、ページング処理部１１８が設けられている。
【０１０１】
また、端末管理サーバ６０２には、移動端末６０３から送られてきた、ＩＰアドレスを受信する位置情報受信部６０５が設けられている。位置情報受信部６０５は、受信したＩＰアドレスを、端末管理サーバ６０２に設けられた位置情報通知部６０６に送る。
【０１０２】
位置情報通知部６０６は、送られてきたＩＰアドレスをＩＰネットワーク１０４上の位置管理サーバ６０１に通知する。
【０１０３】
位置管理サーバ６０１には、端末管理サーバ６０２から送られてきた、移動端末６０３のＩＰアドレスを取得する位置情報受信部６０７が設けられている。位置情報受信部６０７は、受信したＩＰアドレスを位置情報通知部１１７に送る。
【０１０４】
次に、実施の形態３にかかる移動通信システムの基本動作について、図７、図８を用いて具体的に説明する。図７、図８は、実施の形態３にかかる移動通信システムの基本動作シーケンス図である。
【０１０５】
まず、発信元端末１０２が、移動端末６０３に発呼する際に、呼制御サーバ１０７に対して発呼要求（ＳＴ７０１）や、接続先の電話番号に基づき接続先のＩＰアドレスを解決する要求を送信する（ＳＴ７０２）。
【０１０６】
次に、呼制御サーバ１０７が、この呼接続の接続先となる移動端末６０３のＩＰアドレスをＩＰネットワーク１０４内の位置管理サーバ６０１に問合わせるため、位置情報要求を位置管理サーバ６０１に送信する（ＳＴ７０３）。
【０１０７】
これに対して、位置管理サーバ６０１は、位置情報要求受信部１１３において、位置情報要求を受信する。次に、位置管理サーバ６０１の位置情報検索部１１４が、移動端末６０３のＩＰアドレスが位置情報登録部１１２にあるか検索する（ＳＴ７０４）。
【０１０８】
この時移動端末６０３は休眠状態にあるため、無線ＬＡＮ内での接続は失われており、ＩＰネットワーク１０４内でのＩＰアドレスも不明である。
【０１０９】
よって、次に、位置管理サーバ６０１のページング要求送信部１１５が、端末管理サーバ６０２に対して、移動端末６０３のページング要求を送信する（ＳＴ７０５）。
【０１１０】
これに対して、端末管理サーバ６０２は、ページング要求受信部１２５において、位置管理サーバ６０１から送られてきた移動端末６０３のページング要求を受信する。次に、端末管理サーバ６０２のページング処理部１１８が、移動端末６０３に対してページング要求をする（ＳＴ７０６）。
【０１１１】
これに対して、移動端末６０３は、ページング要求受信部１１９において、ページング要求を受信する。そして、移動端末６０３の無線ＬＡＮ接続部１２０が、移動端末６０３の状態を休眠状態から起動状態に遷移し、移動端末６０３の無線ＬＡＮ側であるＩＰネットワーク１０４と無線チャネルを接続する（ＳＴ７０７）。このようにして、移動端末６０３をセルラーネットワーク１０３を用いて起動する。
【０１１２】
次に、移動端末６０３のＩＰアドレス割り当て要求部１２１が、ＩＰネットワーク１０４に対してＩＰアドレスの割り当て要求をし（ＳＴ７０８）、ＩＰアドレスの割り当てを受ける。そして、移動端末６０３のＩＰアドレス割り当て受信部１２２が、割り当てられたＩＰアドレスを受信する（ＳＴ７０９）。
【０１１３】
次に、移動端末６０３のＩＰアドレス通知部６０４が、端末管理サーバ６０２に対してＩＰアドレスの通知をする（ＳＴ７１０）。
【０１１４】
これに対して、端末管理サーバ６０２は、位置情報受信部６０５において、送られてきたＩＰアドレスを受信し、受信したＩＰアドレスを位置情報通知部６０６に送る（ＳＴ７１１）。
【０１１５】
これに対して、位置管理サーバ６０１は、位置情報受信部６０７において、移動端末６０３のＩＰアドレスを受信する。次に、位置管理サーバ６０１の位置情報通知部１１７が移動端末６０３のＩＰアドレスを呼制御サーバ１０７に通知する（ＳＴ７１２）。
【０１１６】
これに対して、呼制御サーバ１０７は、移動端末６０３のＩＰアドレスを受信する。
【０１１７】
これにより、ＩＰネットワーク１０４側の位置管理サーバ６０１および呼制御サーバ１０７は接続先となる移動端末６０３のＩＰアドレスが解決したので、発信元端末１０２と移動端末６０３間での通信が開始される（ＳＴ７１３）。
【０１１８】
以上説明したように、実施の形態３によれば、ＩＰネットワーク１０４側が、移動端末６０３のＩＰアドレスをセルラーネットワーク１０３を経由して、取得することができる。このように、セルラーネットワーク１０３を経由して、ＩＰアドレスを取得することで、位置管理サーバ６０１は、移動端末６０３との間に介在するネットワークに依存することなく、また、パケットロスや情報漏洩などの危険に晒されることなく、安全にＩＰネットワーク１０４側における移動端末６０３の位置情報を取得することができる。
【０１１９】
なお、実施の形態１と実施の形態３を組合せ、セルラーネットワークと移動端末間の通信状況に応じて、ＩＰネットワークが受信するＩＰアドレスの経路を変更するようにしても良い。つまり、セルラーネットワークと移動端末間の通信状況が悪い場合には、ＩＰネットワークは、移動端末から直接ＩＰアドレスを受けるようにしても良い。
【０１２０】
また、実施の形態３に実施の形態２を適用することで、移動端末のページング機能やＩＰアドレスの通知機能を、移動端末や発信元端末のプロファイルに応じて制限するようにしても良い。
【０１２１】
なお、移動端末６０３、位置管理サーバ６０１、端末管理サーバ６０２の各処理部の行なう動作をプログラムにし、記憶媒体に格納し、汎用のコンピュータにこのプログラムを実行させる形態であってもよい。
【０１２２】
なお、本発明は上述の実施に形態に限定されるものではなく、種々の形態に変形して実施することができる。例えば、認証サーバ３０１を無線ネットワークであるＩＰネットワーク１０４側に配置しても良い。また、ＩＰアドレスの割り当て方法については、上述した方法以外の方法であっても良い。
【０１２３】
（実施の形態４）
本発明の実施の形態４は、無線ＬＡＮネットワークにおける位置情報取得に失敗した場合に、代わりにセルラーネットワークにおける位置情報を取得し、ＩＰネットワーク側に通知するようにしたものである。まず、実施の形態４にかかる移動通信システムの構成について図９を用いて説明する。図９は実施の形態４にかかる移動通信システムの構成図である。なお、既に説明した部分と同一の部分には、同一の符合を付与し説明を省略する。
【０１２４】
実施の形態４にかかる移動通信システム９００は、端末管理サーバ９０１と、移動端末９０２の構成が実施の形態３と異なる。
【０１２５】
移動端末９０２には位置情報取得失敗通知部９０４が設けられている。位置情報取得失敗通知部９０４は、移動端末９０２が無線ＬＡＮアクセスによる通信可能な範囲（セル）１０６の圏外にいるなどして位置情報の取得に失敗した場合、位置情報取得失敗を端末管理サーバ９０１に通知する。
【０１２６】
移動端末９０２には、セルラーネットワーク１０３からのページング要求受信によって無線ＬＡＮネットワークにおける位置情報（ＩＰアドレス）の取得に失敗した際に、セルラーネットワーク１０３からページング要求を受信した事象をユーザに通知するユーザ通知部９０５が設けられている。
【０１２７】
これにより、移動端末のユーザが、現在無線ネットワーク圏外にいるということを認識でき、必要に応じて無線ネットワーク圏内に移動することができる。
【０１２８】
また、端末管理サーバ９０１には、移動端末９０２に対してセルラーネットワーク１０３におけるＩＰアドレス（セルラー位置情報）を割り当てる位置情報割り当て部９０３が設けられている。上記位置情報割当て部９０３は、例えばＩＰＣＰ（ＲＦＣ１３３２）などの機能を用いることにより、セルラーネットワーク１０３で使用することのできるＩＰアドレスを仮想的に割り当てることができ、このＩＰアドレスをセルラーネットワーク１０３における位置情報として扱う。
【０１２９】
端末管理サーバ９０１では、位置情報受信部６０５が位置情報取得失敗の通知を受信すると、位置情報割り当て部９０３に移動端末９０２のＩＰアドレスの割り当てを要求する。位置情報割り当て部９０３では移動端末９０２にＩＰアドレスを割り当て、位置情報通知部６０６に送る。
【０１３０】
次に、実施の形態４にかかる移動通信システムの基本動作について図１０を用いて具体的に説明する。図１０は、実施の形態４にかかる移動通信システムの基本動作シーケンス図である。
【０１３１】
まず、発信元端末１０２が、移動端末９０２に発呼する際に、呼制御サーバ１０７に対して発呼要求（ＳＴ１００１）や、接続先の電話番号に基づき接続先のＩＰアドレスを解決する要求を送信する（ＳＴ１００２）。
【０１３２】
次に、呼制御サーバ１０７が、この呼接続の接続先となる移動端末９０２のＩＰアドレスをＩＰネットワーク１０４内の位置管理サーバ６０１に問合わせるため、位置情報要求を位置管理サーバ６０１に送信する（ＳＴ１００３）。
【０１３３】
これに対して、位置管理サーバ６０１は、位置情報要求受信部１１３において、位置情報要求を受信する。次に、位置管理サーバ６０１の位置情報検索部１１４が、移動端末９０２のＩＰアドレスが位置情報登録部１１２にあるか検索する（ＳＴ１００４）。
【０１３４】
この時移動端末９０２は休眠状態にあるため、無線ＬＡＮ内での接続は失われており、ＩＰネットワーク１０４内でのＩＰアドレスも不明である。
【０１３５】
よって、次に、位置管理サーバ６０１のページング要求送信部１１５が、端末管理サーバ９０１に対して、移動端末９０２のページング要求を送信する（ＳＴ１００５）。
【０１３６】
これに対して、端末管理サーバ９０１は、ページング要求受信部１２５において、位置管理サーバ６０１から送られてきた移動端末９０２のページング要求を受信する。次に、端末管理サーバ９０１のページング処理部１１８が、移動端末９０２に対してページング要求をする（ＳＴ１００６）。
【０１３７】
これに対して、移動端末９０２は、ページング要求受信部１１９において、ページング要求を受信する。そして、移動端末９０２の無線ＬＡＮ接続部１２０が、移動端末９０２の状態を休眠状態から起動状態に遷移し、無線チャネルの接続を試みる。
【０１３８】
この時、実施の形態４では、移動端末９０２が無線ＬＡＮ通信エリア圏外１０６にいるなどの理由により、無線チャネルの接続に失敗する（ＳＴ１００７）。なお、無線ＬＡＮ側のリソース不足などによりＩＰアドレスが取得できない場合も同様である。
【０１３９】
位置情報取得失敗通知部９０４は位置情報の取得に失敗したことを端末管理サーバ９０１に通知する（ＳＴ１００８）。
【０１４０】
これに対して、端末管理サーバ９０１は、位置情報受信部６０５において位置情報取得失敗通知を受信すると、位置情報割り当て部９０３によって移動端末９０２に対するセルラーネットワーク１０３上のＩＰアドレス（セルラー位置情報）を割り当て（ＳＴ１００９）、位置情報通知部６０６が割り当てられたセルラーネットワーク上１０３のＩＰアドレスを位置管理サーバ６０１に通知する（ＳＴ１０１０）。
【０１４１】
これに対して、位置管理サーバ６０１は、位置情報受信部６０７において、移動端末９０２のセルラーネットワーク１０３上のＩＰアドレスを受信する。次に、位置管理サーバ６０１の位置情報通知部１１７が移動端末９０２のセルラーネットワーク１０３上のＩＰアドレスを呼制御サーバ１０７に通知する（ＳＴ１０１１）。
【０１４２】
これに対して、呼制御サーバ１０７は、移動端末９０２のセルラーネットワーク１０３上のＩＰアドレスを受信する。
【０１４３】
これにより、ＩＰネットワーク１０４側の位置管理サーバ６０１および呼制御サーバ１０７は接続先となる移動端末９０２のセルラーネットワーク１０３上のＩＰアドレスが解決したので、発信元端末１０２と移動端末９０２間でセルラーネットワーク１０３を経由しての通信が開始される（ＳＴ１０１２）。
【０１４４】
以上説明したように、実施の形態４によれば、移動端末９０２が無線ＬＡＮ通信エリア圏外にいるなどして、移動端末９０２が無線ＬＡＮネットワークとの無線チャネルを接続するのに失敗し、無線ＬＡＮネットワークの位置情報を取得できない場合でも、セルラーネットワーク１０３上の位置情報（ＩＰアドレス）を移動端末９０２に割り振ることができ、この位置情報を位置管理サーバ６０１に通知することができる。これにより、無線ネットワークを用いて通信が行なえない場合でも、セルラーネットワーク１０３上のＩＰアドレスにより、セルラーネットワーク１０３における移動端末９０２の位置情報を特定することができる。この結果、セルラーネットワーク１０３を通して、発信元端末１０２と移動端末９０２の間での通信を開始することができる。
【０１４５】
なお、移動端末９０２が位置情報の取得に失敗したあとのＳＴ１００８からＳＴ１００９にいたる工程が、移動端末９０２のＩＰアドレス割り当て要求部１２１がセルラーネットワーク１０３に対して割り当て要求を行なうことによってＩＰアドレスを取得し、端末管理サーバ９０１に通知するように動作しても良い。
【０１４６】
【発明の効果】
以上説明したように、本発明によれば、移動端末に対するページング機能を持たない無線方式を用いた無線システムにおいて、移動端末に対するページング処理を行い通信を開始することが可能となる。
【０１４７】
またさらに、移動端末に対するページング機能を持たない無線方式を用いた無線システムが使用できないような場合でも、セルラーネットワークを通して、移動端末との通信を開始することが可能となる。
【図面の簡単な説明】
【図１】本発明の実施の形態１にかかる移動体通信システムの構成図
【図２】実施の形態１にかかる移動通信システムの第１の基本動作シーケンス図
【図３】実施の形態１にかかる移動通信システムの第２の基本動作シーケンス図
【図４】本発明の実施の形態２にかかる移動通信システムの構成図
【図５】実施の形態２にかかる移動通信システムのページング処理許可処理フロー図
【図６】本発明の実施の形態３にかかる移動通信システムの構成図
【図７】実施の形態３にかかる移動端末システムの第１の基本動作シーケンス図
【図８】実施の形態３にかかる移動端末システムの第２の基本動作シーケンス図
【図９】本発明の実施の形態４にかかる移動通信システムの構成図
【図１０】実施の形態４にかかる移動通信システムの基本動作シーケンス図
【符号の説明】
１００、４００、６００、９００　移動通信システム
１０１、６０３、９０２　移動端末
１０２　発信元端末
１０３　セルラーネットワーク
１０４　ＩＰネットワーク
１０７　呼制御サーバ
１０８、６０１　位置管理サーバ
１０９、６０２、９０１　端末管理サーバ
３０１　認証サーバ
９０３　位置情報割当て部
９０４　位置情報取得失敗通知部
９０５　ユーザ通知部
【図１】
2004140786.tif 000003
【図２】
2004140786.tif 000004
【図３】
2004140786.tif 000005
【図４】
2004140786.tif 000006
【図５】
2004140786.tif 000007
【図６】
2004140786.tif 000008
【図７】
2004140786.tif 000009
【図８】
2004140786.tif 000010
【図９】
2004140786.tif 000011
【図１０】
2004140786.tif 000012